(57)【要約】【課題】簡易な構造で例えば次亜塩素酸を含む電解水を空間中に噴霧することができるとともに、原料液を希釈せず、電気分解により生じる副生成物を外部に放出することができる噴霧装置を提供する。【解決手段】原料液２の電気分解により生成される電解水を噴霧する噴霧装置１であって、上部に開口３０を有しかつ内部に原料液２を収容可能な容器３と、容器３内に挿入され、容器３内から原料液２を吸い上げる吸液芯材４と、吸液芯材４の開口３０から突き出る部分に互いに間隔をあけて設けられ、吸液芯材４が吸い上げた原料液２を電気分解する一対の電極５と、電気分解後の電解水を噴霧させる噴霧手段６と、を備える。【選択図】図１
2020054970.tif 000002
【特許請求の範囲】
【請求項１】
原料液の電気分解により生成される電解水を噴霧する噴霧装置であって、
上部に開口を有しかつ内部に前記原料液を収容可能な容器と、
前記容器内に挿入され、前記容器内から前記原料液を吸い上げる吸液芯材と、
前記吸液芯材の前記開口から突き出る部分に互いに間隔をあけて設けられ、前記吸液芯材が吸い上げた前記原料液を電気分解する一対の電極と、
電気分解後の前記電解水を噴霧させる噴霧手段と、を備える噴霧装置。
【請求項２】
前記一対の電極は、陽極が陰極よりも前記開口から遠くに位置するように前記吸液芯材に対して配置される、請求項１に記載の噴霧装置。
【請求項３】
前記噴霧手段は、前記吸液芯材に保持された電気分解後の前記電解水に超音波振動を与える、請求項１又は２に記載の噴霧装置。
【請求項４】
前記一対の電極はメッシュ状又は多孔板状に形成されている、請求項１〜３のいずれかに記載の噴霧装置。
【請求項５】
室内空間の除菌及び／又は脱臭を行うための、請求項１〜４のいずれかに記載の噴霧装置の使用。
【請求項６】
請求項１〜４のいずれかに記載の噴霧装置を用いて室内空間の除菌及び／又は脱臭を行う、噴霧装置の使用方法。
【発明の詳細な説明】
【技術分野】
【０００１】
本発明は、原料液の電気分解により生成する例えば次亜塩素酸などを含む電解水を噴霧する噴霧装置、該噴霧装置の使用、及び、該噴霧装置の使用方法に関する。
【背景技術】
【０００２】
次亜塩素酸は、殺菌、消毒、消臭、洗浄に効果があるとともに人体に安全であるため、農業、食品、医療、介護、工業、水処理施設などの様々な分野で使用されている。また、近年では、水道水や塩酸などの電気分解により生成される次亜塩素酸を含む電解水を用いて、室内空間に浮遊する菌やウイルスの除去や空間の脱臭を図った装置が提供されている。
【０００３】
従来の次亜塩素酸を用いた除菌脱臭装置は、原料液タンクと、原料液の電気分解を行う電解槽と、原料液タンクから電解槽に原料液を供給するポンプと、電気分解により生成した次亜塩素酸を含む電解水が浸潤した気液接触部材と、気液接触部材に室内空間の空気を送風することで次亜塩素酸と接触させるファンとを備えている。従来の噴霧装置は、原料液タンク以外に、ポンプや、気液接触部材及び気液接触部材に空気を送り込むファンを備えているため、装置全体が大型及び高重量であり、コストも高い。
【０００４】
これに対して、特許文献１に記載の装置は、装置内にポンプを設けず、また、電気分解により生成した次亜塩素酸を含む電解水を室内空間に噴霧する構造とすることで、装置全体を小型化及び低重量化している。特許文献１に記載の装置では、噴霧部にピエゾ振動子及び多孔噴霧プレートを用いており、電気分解により生成した電解液体を吸液媒体に含浸させ、吸液媒体に含浸させた電解液体をピエゾ振動子の振動により多孔噴霧プレートの微細孔から空間中に噴霧させている。
【先行技術文献】
【特許文献】
【０００５】
【特許文献１】特開２００７‐２９７７２号公報
【発明の概要】
【発明が解決しようとする課題】
【０００６】
しかし、特許文献１に記載の装置は、電動ポンプを省略したことにより、原料液タンクの原料液が吸液媒体に円滑に導かれるように、原料液タンクを吸液媒体の配置位置より高い高さ位置に配置し、圧力水頭の作用によって原料液タンク内の原料液が吸液媒体へ導かれるようにするなど、装置の構造に特別な設計を必要とする。また、電解水は、液出口部材において原料液が棒状電極を用いた電気分解により生じた後、液出口通路を介して吸液媒体に含浸されるが、電気分解により生じた電解水により原料液が希釈されるため、原料液の濃度やｐＨ、導電率などの溶液特性を変化させるおそれもある。さらに、電気分解により生じる副生成物（例えば水素など）が装置外に完全に放出されないという課題もある。
【０００７】
本発明は上記課題を解決するためになされたものであり、簡易な構造で例えば次亜塩素酸を含む電解水を空間中に噴霧することができるとともに、原料液を希釈せず、電気分解により生じる副生成物を外部に放出することができる噴霧装置を提供することである。
【課題を解決するための手段】
【０００８】
本発明者らは鋭意検討した結果、以下に示す構成を有する噴霧装置により、上記課題を解決できることを見出し、本発明に到達した。本発明は、以下の噴霧装置を提供する。
項１．原料液の電気分解により生成される電解水を噴霧する噴霧装置であって、上部に開口を有しかつ内部に前記原料液を収容可能な容器と、前記容器内に挿入され、前記容器内から前記原料液を吸い上げる吸液芯材と、前記吸液芯材の前記開口から突き出る部分に互いに間隔をあけて設けられ、前記吸液芯材が吸い上げた前記原料液を電気分解する一対の電極と、電気分解後の前記電解水を噴霧させる噴霧手段と、を備える噴霧装置。
項２．前記一対の電極は、陽極が陰極よりも前記開口から遠くに位置するように前記吸液芯材に対して配置される、上記項１に記載の噴霧装置。
項３．前記噴霧手段は、前記吸液芯材に保持された電気分解後の前記電解水に超音波振動を与える、上記項１又は２に記載の噴霧装置。
項４．前記一対の電極はメッシュ状又は多孔板状に形成されている、上記項１〜３のいずれかに記載の噴霧装置。
【０００９】
また、本発明は、以下の噴霧装置の使用及び噴霧装置の使用方法を提供する。
項５．室内空間の除菌及び／又は脱臭を行うための上記項１〜４のいずれかに記載の噴霧装置の使用。
項６．上記項１〜４のいずれかに記載の噴霧装置を用いて室内空間の除菌及び／又は脱臭を行う噴霧装置の使用方法。
【発明の効果】
【００１０】
本発明の噴霧装置においては、容器内に供給された原料液は、吸液芯材により吸い上げられ、吸液芯材内を一対の電極に向かって浸透していく。原料液が一対の電極の間に到達すると、吸液芯材内で電気分解されることで電解水が生成し、生成した電解水は、吸液芯材の吸い上げ機能により吸液芯材に保持された状態で、噴霧手段により装置外に噴霧される。
【００１１】
本発明の噴霧装置によれば、原料液を収容する容器から原料液を電気分解する一対の電極まで原料液を送液するポンプや、電気分解により生成された電解水を室内空間の空気に接触させるための気液接触部材及びファンを必要としないため、装置の全体サイズ、総重量、製造コストなどを低減することができる。
【００１２】
また、本発明の噴霧装置によれば、吸液芯材を容器内に挿入して原料液に浸漬させるとともに、吸液芯材の容器から突き出た部分に一対の電極を設けて、吸液芯材が容器内から吸い上げた原料液を吸液芯材内で一対の電極により電気分解して電解水を生成しているので、装置の構造を簡易化することができる。よって、従来技術のように、原料液タンクの原料液が吸液媒体に円滑に導かれるように、原料液タンクを吸液媒体の配置位置より高い高さ位置に配置するなどの特別な設計を不要とすることができる。
【００１３】
また、本発明の噴霧装置によれば、電気分解により生成された電解水は、吸液芯材による吸い上げにより吸液芯材に保持された状態で噴霧手段により室内空間に噴霧される。よって、電気分解により生成された電解水により容器内の原料液が希釈することを防止できる。
【００１４】
また、本発明の噴霧装置によれば、電気分解により生成された電解水が装置外に噴霧されるとともに、副生成物として生成される水素などのガスも吸液芯材から装置外に放出されるため、従来技術のように、副生成物が装置外に完全に放出されないということがない。
【図面の簡単な説明】
【００１５】
【図１】噴霧装置の概略構造に示す断面図である。
【図２】電極に供給した電流値に対する噴霧された電解水中の次亜塩素酸濃度の測定結果を示すグラフである。
【図３】６０分間連続して電解水を噴霧した場合の次亜塩素酸濃度の測定結果を示すグラフである。
【発明を実施するための形態】
【００１６】
本発明に係る噴霧装置は、室内空間に設置され、原料液を電気分解して得られる例えば次亜塩素酸を含む電解水を室内空間に直ちに噴霧することで、次亜塩素酸による室内空間の除菌（菌やウイルスの除去）及び／又は脱臭を行うために使用されるものである。以下、本発明に係る噴霧装置の実施形態について図面を参照しつつ詳細に説明する。
【００１７】
図１は、本実施形態の噴霧装置１の概略構造を示す。噴霧装置１は、原料液２を収容する容器３と、容器３内から原料液２を吸い上げる吸液芯材４と、吸液芯材４が吸い上げた原料液２を電気分解する一対の電極５と、電気分解により生成された電解水を噴霧させる噴霧手段６とを備える。以下、噴霧装置１の各構成について説明する。
【００１８】
原料液２は、本実施形態では、電気分解により次亜塩素酸を生成する水溶液である。この原料液２としては、例えば塩化ナトリウム、塩化カリウム、塩化マグネシウム、塩化カルシウム、塩化アンモニウムなどの塩の水溶液；塩酸；上記塩の水溶液と塩酸との混合溶液などを挙げることができる。上記塩の水溶液の濃度としては、特に限定されるものではないが０．０１％〜１０％であることが好ましい。また、塩酸の濃度としては、特に限定されるものではないが０．００００１％〜６％であることが好ましい。
【００１９】
次に、容器３は、上部に開口３０を有し内部に原料液２の収容空間３１を有する。容器３の開口３０は、栓部材７（又は蓋）により塞がれている。栓部材７（又は蓋）は、吸液芯材４の差込口を有しており、吸液芯材４は、栓部材７（又は蓋）の差込口に差し込まれることで、容器３内に挿入されるとともに、吸液芯材４によって容器３内において上下方向に起立するように保持される。容器３の材質は、原料液２に対する耐性を有していれば特に限定されるものではなく、例えばガラス製やプラスチック製とすることができる。
【００２０】
次に、吸液芯材４は、容器３内の原料液２を吸い上げ可能である。吸液芯材４は、上下方向に長い長手形状を呈しており、下側の一部が原料液２に浸漬して下端が容器３の底に到達しており、上側の一部が容器３の開口３０から突き出て上端が開口３０上に位置している。吸液芯材４は、毛細管現象により原料液２を吸い上げ可能とするために多孔質体であることが好ましい。多孔質体としては、天然繊維又は合成繊維の集束物（繊維束）；織布；不織布；合成樹脂粉末の集合物又は焼結体；スポンジなどの合成樹脂発泡体などを挙げることができる。
【００２１】
吸液芯材４の形状は、本実施形態では棒状であるが、原料液２を吸い上げ可能であれば形状は特に限定されず、板状、筒状、ハニカム状など任意の形状とすることができる。なお、吸液芯材４は、原料液２の吸い上げ性の向上、後述する振動プレート６１との接触性の向上などを目的として、複数の部材で構成されていてもよい。例えば、原料液２を吸い上げる棒状の吸上部材と、当該吸上部材よりも横断面積（水平面で切断したときの切り口の面積）が大きく、電気分解により生成された電解水を含浸保持する保持部材の２つの部材で構成することができる。
【００２２】
次に、一対の電極５は、原料液２を電気分解するものであり、陽極５Ａ及び陰極５Ｂよりなる。一対の電極５は、吸液芯材４の容器３の開口３０から突き出る部分に互いに間隔をあけて設けられている。一対の電極５の材質は、特に限定されるものではなく、従来から電気分解により次亜塩素酸を生成する際に用いられている電極と同じ材料を用いることができる。例えば、陽極５Ａの材質としては、白金、ステンレス、カーボンなどを挙げることができ、陰極５Ｂの材質としては、白金、カーボン、銅などを挙げることができる。
【００２３】
一対の電極５は、例えば、（１）平板状又は湾曲板状に形成して吸液芯材４の外周面を覆う、（２）平板状又はメッシュ状に形成して吸液芯材４の中に突き入れる、（３）筒状に形成して吸液芯材４の周囲を囲む、（４）線状に形成して吸液芯材４の周囲に巻き付ける、（５）ブロック状に形成して吸液芯材４内に埋設する、などの方法で吸液芯材４に設けることができる。なお、一対の電極５は同じ形状を呈していてもよいし、異なる形状を呈していてもよい。
【００２４】
上記（２）の一対の電極５を平板状に形成して吸液芯材４に差し込む場合には、一対の電極５は、微細孔が複数均一に形成された多孔板状に形成することが好ましい。一対の電極５を多孔板状又はメッシュ状に形成して吸液芯材４に差し込むことで、吸液芯材４内の原料液２又は電気分解後の次亜塩素酸を含む電解水の吸い上げ流路を確保しながらも一対の電極５と吸液芯材４との接触面積を増やすことができ、効率よく電気分解により電解水を生成することができる。一対の電極５を多孔板状又はメッシュ状に形成して吸液芯材４に差し込む場合には、一対の電極５が互いに平行に対向するように、一対の電極５を吸液芯材４に差し込む、例えば一対の電極５を水平にして吸液芯材４に対して垂直に差し込むことが好ましい。これにより、電気分解の効率を向上することができる。なお、一対の電極５は、互いに平行に対向していれば、必ずしも水平にして吸液芯材４に差し込まれている必要はなく、例えば斜めに傾いた状態で吸液芯材４に差し込まれていてもよい。また、一対の電極５は、必ずしも互いに平行に対向するように吸液芯材４に差し込まれている必要はない。
【００２５】
一対の電極５の配置は、吸液芯材４の上下方向に互いに間隔をあけた配置であってもよいし、吸液芯材４の周方向に互いに間隔をあけた配置であってもよい。本実施形態では、一対の電極５は、吸液芯材４の上下方向に互いに間隔をあけて互いに平行に対向するよう配置されているとともに、陽極５Ａが陰極５Ｂよりも上方に位置する、言い換えれば陽極５Ａが陰極５Ｂよりも容器３の開口３０から遠くに位置するように配置されている。一対の電極５の間隔は、吸液芯材４の太さや空隙率とともに一対の電極５により電気分解される原料液２の量を規定する。そのため、吸液芯材４の太さや空隙率に応じて前記間隔を調整することで、電気分解に適切な量の原料液２を一対の電極５の間に供給することができる。
【００２６】
一対の電極５には、図示を省略するが制御スイッチを有する電気回路が接続されている。制御スイッチは、図示しないマイクロコンピュータなどの制御部に接続されており、制御部により制御スイッチのオンオフが制御されている。電気回路は、図示を省略するが装置に内蔵した電池（乾電池や蓄電池）からの直流電圧や外部の交流電源からＡＣアダプタを介して得た直流電圧を高電圧発生装置を介して一対の電極５に印加する。
【００２７】
一対の電極５に供給される電流値は、詳細は後述するが、電気分解後の電解水に含まれる次亜塩素酸の濃度に大きく影響するパラメータである。電解水に含まれる次亜塩素酸の濃度は、電気分解される原料液の量や濃度によって変わるため、電気分解される原料液の量や濃度に応じて一対の電極５に供給する電流値を適宜設定することで、電解水に含まれる次亜塩素酸の濃度を所望の濃度とすることができる。
【００２８】
次に、噴霧手段６は、一対の電極５よりも上方の吸液芯材４の上端近くに設けられている。噴霧手段６が一対の電極５に接近した位置に配置されていることで、電気分解により生成した次亜塩素酸を含む電解水を室内空間に直ちに噴霧することができる。
【００２９】
噴霧手段６は、本実施形態では、振動子６０と、振動子６０に接続された振動プレート６１とを備えており、振動プレート６１が吸液芯材４の上端において吸液芯材４と接触している。振動プレート６１は、微細孔が複数均一に形成された多孔板状又はメッシュ状に形成されている。振動子６０は、例えばピエゾ素子を用いることができる。振動子６０は、図示しない駆動回路を介して制御部に接続されており、制御部の制御によって電源から駆動回路を介してパルス電圧が印加されることにより超音波振動を発生させて、振動プレート６１を振動させる。振動プレート６１の振動により、振動プレート６１に接触する吸液芯材４に保持された電解水が霧化し、霧化した電解水が振動プレート６１の複数の微細孔から空間中に噴霧される。電解水の噴霧量は、振動子６０の動作を制御することで調整することができる。なお、噴霧される電解水に含まれる次亜塩素酸の濃度は、電解水の噴霧量によって変わるため、電解水の噴霧量に応じて一対の電極５に供給する電流値を適宜設定することで、噴霧される電解水に含まれる次亜塩素酸の濃度を所望の濃度とすることができる。
【００３０】
上述した噴霧装置１の各構成（容器３、吸液芯材４、一対の電極５、噴霧手段６、制御部、電池など）は図示しないハウジング内に収納されている。ハウジングは、吸液芯材４の上方（及び／又は側方）に放出口が形成されている。放出口は１つ又は複数形成され、噴霧装置１は、放出口を介して噴霧手段６により噴霧された次亜塩素酸を含む電解水をハウジング外に放出している。
【００３１】
なお、ハウジング内に制御部の制御により駆動する送風ファンを設け、送風ファンからの送風により、放出口から外部に噴霧された次亜塩素酸を含む電解水を室内空間に広がるように放散させてもよい。
【００３２】
また、ハウジングには、オン／オフスイッチが設けられており、制御部がオン／オフスイッチの操作を受けて、一対の電極５や振動子６０に対する電圧印加を制御することで、次亜塩素酸を含む電解水の噴霧の開始及び停止がなされる。なお、オン／オフスイッチの他に、例えば電解水の噴霧量の強弱を変更可能な設定スイッチやタイマースイッチなどの各種スイッチを設け、制御部が各種スイッチの操作を受けて、電解水の噴霧量の強弱を調節したり、電解水の噴霧時間を設定したりしてもよい。
【００３３】
次に、上述した構成の噴霧装置１の動作について説明する。容器３内に収容された原料液２は、容器３内に挿入されている吸液芯材４の毛細管現象により吸い上げられ、吸液芯材４内を一対の電極５に向かって上方に浸透していく。一対の電極５には所定の電圧が印加されており、原料液２が一対の電極５の間に到達すると、原料液２は吸液芯材４内で電気分解され、次亜塩素酸を含む電解水が生成される。また、副生成物として水素などが生成される。電気分解により生成した電解水は、吸液芯材４の毛細管現象により吸い上げられて振動プレート６１に接触する。電解水が振動プレート６１に接触すると、振動プレート６１の振動により電解水が霧化し、装置外に噴霧される。
【００３４】
上述した構成の噴霧装置１を使用すれば、噴霧装置１を室内空間に設置することで、噴霧装置１から噴霧される電解水により室内空間の除菌及び／又は脱臭を行うことができる。
【００３５】
また、上述した構成の噴霧装置１によれば、原料液２を収容する容器３から原料液２を電気分解する一対の電極５まで原料液２を送液するポンプや、電気分解により得られる次亜塩素酸を室内空間の空気に接触させるための気液接触部材及びファンを必要としないため、装置の全体サイズ、総重量、製造コストなどを低減することができる。
【００３６】
また、上述した構成の噴霧装置１によれば、吸液芯材４を容器３内に挿入して原料液２に浸漬させるとともに、吸液芯材４の容器３から突き出た部分に一対の電極５を設けて、吸液芯材４が容器３内から吸い上げた原料液２を吸液芯材４内で一対の電極５により電気分解して次亜塩素酸を含む電解水を生成している。よって、装置の構造を簡易化することができ、従来技術のように、原料液タンクの原料液が吸液媒体に円滑に導かれるように、原料液タンクを吸液媒体の配置位置より高い高さ位置に配置するなどの特別な設計を不要とすることができる。
【００３７】
また、上述した構成の噴霧装置１によれば、電気分解により生成された次亜塩素酸を含む電解水は、吸液芯材４の毛細管現象による吸い上げにより吸液芯材４に保持された状態で噴霧手段６により室内空間に噴霧されるので、電気分解により生じた電解水により容器３内の原料液２が希釈されることがない。よって、容器３内の原料液２の濃度やｐＨ、導電率などの溶液特性が変化することがなく、所望濃度の次亜塩素酸を含む電解水の噴霧を安定して行うことができる。
【００３８】
また、上述した構成の噴霧装置１によれば、電気分解により生成された次亜塩素酸を含む電解水が装置外に噴霧されるとともに、副生成物として生成される水素なども吸液芯材４から装置外に放出されるため、従来技術のように、水素などの副生成物が装置外に完全に放出されないということがない。
【００３９】
また、上述した構成の噴霧装置１によれば、一対の電極５について、陽極５Ａが陰極５Ｂよりも容器３の開口３０から遠くに位置するように吸液芯材４に対して配置することで、詳細は後述するが、電気分解後の電解水に含まれる次亜塩素酸の濃度を高濃度とすることができる。
【００４０】
以上、本発明の実施形態について説明したが、本発明は上記実施形態に限定されるものではなく、本発明の趣旨を逸脱しない限りにおいて種々の変更が可能である。
【００４１】
例えば、上記実施形態の噴霧装置１では、噴霧手段６として超音波振動を発生させる振動子６０を用い、吸液芯材４に保持された電解水を振動により霧化することで噴霧しているが、噴霧手段６としては吸液芯材４に保持された電解水を噴霧できるものであれば特に限定されず、例えば気化器により吸液芯材４に保持された電解水を気化することで噴霧してもよい。
【００４２】
また、上記実施形態の噴霧装置１では、装置内に容器３を１つ備えているが、容器３の数は特に限定されるものではなく、複数の容器３を備えていてもよい。
【００４３】
また、上記実施形態の噴霧装置１では、吸液芯材４は容器３内に１つ挿入されているが、容器３内に挿入される急液芯材４の数は特に限定されるものではなく、複数の吸液芯材４が容器３内に挿入されていてもよい。
【００４４】
また、上記実施形態の噴霧装置１では、原料液２として、電気分解により次亜塩素酸を生成する水溶液が用いているが、原料液２は次亜塩素酸を生成する水溶液に限定されるものではない。
【実施例】
【００４５】
以下に本発明の実施例を示し、本発明をより具体的に説明するが、本発明は、以下の実施例に限定されるものではない。
【００４６】
濃度１％の塩化ナトリウム水溶液を収容したペットボトル（容積が約６０ｍｌ）内に、棒状の吸液芯材（素材：ポリエチレン、ポリプロピレン、ポリエステル、セルロールなど、空隙率：７０％、直径：３．５ｍｍ、長さ６５ｍｍ）を挿入し、吸液芯材の上端には、電気分解により生成された電解水を含浸保持する吸収材（素材：ポリエステル、セルロール、レーヨン、ナイロンなど）を介して振動子（ピエゾ素子）により振動するメッシュ状の振動プレートを設置した。また、吸液芯材の容器から突き出る部分には、カーボンよりなるメッシュ状の一対の電極を上下方向に間隔をあけた状態で吸液芯材に差し込むことで装着した。
【００４７】
まず、一対の電極に、それぞれ５ｍＡ、１０ｍＡ、４０ｍＡの直流電流を供給することで原料液の電気分解を行うと同時に、振動子の駆動により振動プレートを振動させることで電気分解により生成された電解水の噴霧を行って、噴霧された電解水中の次亜塩素酸の濃度を測定した。次亜塩素酸の濃度測定は、噴霧された電解水を５〜１０ｍｌ回収した後、よう素滴定法により電解水中の塩素濃度を測定することによって行った。電極に供給した電流値に対する噴霧された電解水中の次亜塩素酸濃度の結果を表１及び図２に示す。なお、表１及び図２中の「Positive above」は吸液芯材に対して陽極を陰極よりも上方に配置した場合の結果であり、「Negative above」は吸液芯材に対して陰極を陽極よりも上方に配置した場合の結果である。
【００４８】
【表１】
2020054970.tif 000003
【００４９】
表１及び図２によると、電極に供給する電流の強さにより、噴霧される電解水中の次亜塩素酸の濃度が変わり、電極に４０ｍＡの電流を供給することで６０ｐｐｍの濃度の次亜塩素酸を含む電解水を生成できることが確認された。そのため、電極に供給する電流値を変更することで電解水中の次亜塩素酸の濃度を調整することができ、原料液の濃度や電解水の噴霧量などに応じて電極に供給する電流値を適切に設定することで、電解水中の次亜塩素酸の濃度を所望の濃度に設定できることが確認された。加えて、吸液芯材に対して陽極を陰極よりも上方に配置する方が、より高濃度の次亜塩素酸を含む電解水を生成できることが確認された。
【００５０】
次に、実施例３について、６０分間連続して電解水の噴霧を行い、６０分間の連続噴霧中において、噴霧された電解水中の次亜塩素酸の濃度と、ペットボトル内の原料液中の次亜塩素酸濃度とを経時的に測定した。その結果を表２及び図３に示す。なお、ペットボトル内の原料液の残量が少なくなると、随時、原料液を補充しながら測定を行った。
【００５１】
【表２】
2020054970.tif 000004
【００５２】
表２及び図３によると、噴霧された電解水中の次亜塩素酸濃度は５０ｐｐｍ以上で一定であった一方、ペットボトル内の原料液からは次亜塩素酸は検出されなかった。このように、長時間連続して電解水を噴霧させても、また、ペットボトル内の原料液の残量が減ったり補充により増えたりして大きく変化したにも関わらず、噴霧される電解水中の次亜塩素酸の濃度を安定的に維持できることが確認された。加えて、電気分解により生じた電解水によりペットボトル内の原料液が希釈されないことも確認された。
【符号の説明】
【００５３】
１    噴霧装置
２    原料液
３    容器
４    吸液芯材
５    電極
５Ａ  陽極
５Ｂ  陰極
６    噴霧手段
３０  開口
【図１】
2020054970.tif 000005
【図２】
2020054970.tif 000006
【図３】
2020054970.tif 000007